(57)【特許請求の範囲】
【請求項１】
被遮蔽部ａ上に横設した収納ケース２と、該ケース内に設置した引き上げ及び繰り出し用のドラム３と、上記収納ケース２に上端縁を、前後を隔離できる如く固定定して上記被遮蔽部ａを遮蔽した面状の遮蔽部材４と、該遮蔽部材４に一端を固定するとともに、他端を上記ドラム３に連結した牽引部材12とを備え、上記牽引部材12及び上記遮蔽部材４を順次上記ドラム３に巻き取って上記収納ケース２内に収納する如く構成したことを特徴とする防虫・防鼠シャッター。
【発明の詳細な説明】
【０００１】
【発明の属する技術分野】
本発明は防虫，防鼠シャッターに関し、詳しくは、建物開口部等に設置され、確実な遮蔽を行うことによって鼠，昆虫などの建物内部への侵入を防ぐことのできるシャッターに関する
【０００２】
【従来の技術】
シャッター構造は、製造工場、倉庫等の大型施設から、店舗，車庫等様々な場所で使用されており、それらに使用される遮蔽部材の素材も様々で、スチール、アルミ等の金属製のもの、或いはポリエステルに樹脂コートを施した樹脂製シート状のもの等が挙げられる。
【０００３】
従来、垂直開閉式のシャッターでは、図18に示す如く、遮蔽部材4aの上部先端が直接引き上げ及び繰り出し用のドラム3aに接続しており、このドラムに巻き回して遮蔽部材4aの巻き取りを行っていた。この様な巻き取り方式だと、遮蔽部材4a及びドラム3aと収納ケース2aとの間に物理的な接続を行うことは出来ず、完全にその隙間を遮蔽することは不可能であった。この隙間によって、収納ケース内が外界と通じているばかりか、結果的には、建物内部が常に外部に曝されている状況となっており、この隙間が鼠、昆虫等が建物内部に侵入する侵入経路Ａを形成して種々の被害をもたらしていた。
【０００４】
この様な隙間をなくす工夫がこれまでいくつかなされてきているが、基本的にはどれも同じ発想によるもので、垂直開閉式シャッターの上部隙間の遮蔽は完全でなかった。それらの工夫とは、遮蔽部材に対してゴム，ビニール樹脂等の弾力のある材料を密着させることによってすきまを最小にしようとするものであったが（例えば特許文献１及び２参照）、遮蔽部材や遮蔽部材引き上げドラムが可動部品である以上、既存の巻き取り方式だと密閉構造がつくれなかった。また、それら遮蔽補助部品は常に遮蔽部材と密着しているため、開閉時に磨滅したり、鼠等にかじられるたりすることにより機能の劣化が著しい。
【０００５】
【特許文献１】
特開平１０−２１０９２０号公報（第２−３頁，図１）
【特許文献２】
特開平１１−１８２１５９号公報（第５−６頁，図１）
【０００６】
【発明が解決しようとする課題】
本発明は上記した点に鑑みてなされたもので、従来生じていた上部の隙間を完全に無くし、その結果、鼠，昆虫等の建物内部への侵入を確実に防御できる防虫防鼠シャッターを提案するものである。
【０００７】
【課題を解決するための手段】
本発明のシャッターは、建物開口部の上部に設置されたドラム等装置により、面状の遮蔽部材を巻き取る、もしくは繰り出すことによりって開閉する従来のシャッター機構と基本的な構造は類似するものであるが、本発明では、遮蔽部材と引き上げドラムとの接続位置を変更することにより、シャッターを収納ケースに接合して一体構造とし、シャッター前後を貫通する収納ケース内の隙間を完全に遮蔽する。
【０００８】
第１の手段として、被遮蔽部ａ上に横設した収納ケース２と、該ケース内に設置した引き上げ及び繰り出し用のドラム３と、該ドラム３奥の上記収納ケース２内面に上端縁を連結するとともに、上記ドラム３外周面に沿って下方へ垂下して上記被遮蔽部ａを遮蔽した面状の遮蔽部材４とを備え、上記ドラム３を回転して上記ドラム３と上記遮蔽部材４との接触部分に於ける摩擦力により上記遮蔽部材４を引き上げるとともに、引き上げられた上記遮蔽部材４を上記ドラム３奥の収納部ｂへ収納する如く構成した。
【０００９】
また、第２の手段として、前記第１の手段に於いて、上記遮蔽部材４が、横断する屈曲部９を所定間隔をあけて多数設けた遮蔽部材であり、上記収納部ｂ内への収納が、上記各屈曲部９で屈曲したジグザグの折り畳み状態での収納である如く構成した。
【００１０】
また、第３の手段として、前記第１の手段に於いて、上記ドラム３が、横多角柱状をなすとともに、側面から見た一辺が上記屈曲部９間距離に相当する如く構成した。
【００１１】
また、第４の手段として、前記第１の手段に於いて、上記遮蔽部材４が、横断する屈曲部９を所定間隔をあけて多数設けるとともに、上記屈曲部９両側にそれぞれ飛び飛びに多数対の突起10を突設した遮蔽部材であり、上記収納部ｂ内への収納が、上記ドラム３奥方へ延設した一対のレール11上に上記各突起10を載置するとともに、上記各屈曲部９で屈曲したジグザグ折り畳み状態での収納である如く構成した。
【００１２】
また、第５の手段として、被遮蔽部ａ上に横設した収納ケース２と、該ケース内に設置した引き上げ及び繰り出し用のドラム３と、上記収納ケース２に上端縁を、前後を隔離できる如く固定して上記被遮蔽部ａを遮蔽した面状の遮蔽部材４と、該遮蔽部材４に一端を固定するとともに、他端を上記ドラム３に連結した牽引部材12とを備え、上記牽引部材12及び上記遮蔽部材４を順次上記ドラム３に巻き取って上記収納ケース２内に収納する如く構成した。
【００１３】
また、第６の手段として、被遮蔽部ａ上に横設した収納ケース２と、上記被遮蔽部ａ両側に立設するとともに、それぞれ案内溝13を有する支持フレーム５と、上記収納ケース２内に設置した引き上げ及び繰り出し用のドラム３と、上記収納ケース２に上端縁を固定するとともに、横断する屈曲部９を所定間隔をあけて多数設け、且つ、各屈曲部９両側に飛び飛びに多数対突設した突起10を上記各案内溝13に上下動可能に嵌合させて上記被遮蔽部ａを遮蔽してなる面状の遮蔽部材４と、該遮蔽部材４下端部に一端を固定するとともに、他端をドラム３に連結した牽引部材12とを備え、上記牽引部材12を上記ドラム３に巻き取るに伴い各屈曲部９で屈曲して上記遮蔽部材４を折り畳み上昇させる如く構成した。
【００１４】
【発明の実施の形態】
以下、本発明の実施の形態を図面を参照して説明する。
【００１５】
図面に示す如く、本発明のシャッター１は、建物の出入り口等の被遮蔽部ａを遮蔽すべく設置するもので、収納ケース２と、ドラム３と、遮蔽部材４とを備えている。
【００１６】
収納ケース２は被遮蔽部ａ上に横設したもので、その支持方法は種々の形態を採用でき、例えば、建物等の躯体に直接取り付けたり、被遮蔽部ａ両側に立設した一対の支持フレーム上に横設することができる。また、内部にドラム３及び引き上げた遮蔽部材４を収納し、下面には遮蔽部材４や後述する牽引部材を出入りさせるための窓孔６を開口している。収納ケース２を形成する材質は種々のものが採用できて特に限定されず、例えば、金属や合成樹脂，或いはこれらの複合したもの等が使用できる。
【００１７】
ドラム３は収納ケース２内に設置するとともに、遮蔽部材４を開閉させる牽引機構を構成するもので、遮蔽部材４を引き上げて被遮蔽部ａを開口させ、また、引き上げた遮蔽部材４を繰出して被遮蔽部ａを閉塞させる。ドラムの回転は上記牽引機構を構成する公知の駆動装置により行うことができ、自動の場合も手動の場合も採用できる。ドラムの材質も特に限定されず、上記収納ケースと同様の材質が使用できる。
【００１８】
遮蔽部材４は、被遮蔽部ａを開閉可能に閉塞するもので、収納ケース２に上端縁を固定して確実にその前後を隔離できる如く構成している。遮蔽部材４は金属，或いは塩化ビニル等の合成樹脂、或いはこれらの複合体等を材料とする面状（シート状）形態のものが採用でき、可撓性があるものが好ましく使用できるが、要すれば折り畳み用の屈曲部等を付設することも可能である。また、遮蔽部材４が合成樹脂等の重量の軽い材質で形成される場合には、遮蔽部材４下端に砂袋，金属，或いはその他重量の重い材質等で形成された錘を付設すると良い。
【００１９】
図１の実施例では、被遮蔽部ａ両側に立設した一対の支持フレーム５上に収納ケース２に横設しており、その前部下端コーナー部分に窓孔６を開口している。また、この窓孔６に一部を臨ませて収納ケース２内にドラム３を設置し、その奥に立設した仕切り板７を介して収納部ｂを形成している。
【００２０】
遮蔽部材４は、ドラム３奥の収納ケース２内面に上端縁を固定するとともに、ドラム３外周面に沿って下方へ垂下して被遮蔽部ａを遮蔽している。収納ケース２内の遮蔽部材４の両側は、収納ケースの両側板内面等に摺動可能に接触させている。また、収納ケース２から出た遮蔽部材４の両側前面は上記各支持フレーム５後面に接して閉塞される。従って、遮蔽部材４の前後は確実に遮断される。尚、この両支持フレーム５裏面に、例えば弾力性を備えた鉤型係止枠を突設して遮蔽部材４の両側を挟持する如く構成して、より緊密に支持フレーム５と接触させる如く構成することもできる。また、下端部に上記した錘８を設けることも可能である。
【００２１】
また、ドラム３を回転してドラム３と遮蔽部材４との接触部分に於ける摩擦力により遮蔽部材４を引き上げるとともに、引き上げられた遮蔽部材４をドラム３奥の収納部ｂへ収納する如く構成している。従って、上記摩擦力を得るために、例えば、遮蔽部材４のドラム側面及びドラム３の外周面の摩擦抵抗をそれぞれ大きく構成したり、或いは歯車の噛み合わせのような凹凸をそれぞれ設けたりすると良い。
【００２２】
上記シャッター１は、図１に示す状態からドラム３を回転させると、図３に示す如く、遮蔽部材４が引き上げられ、引き上げられた遮蔽部材４は収納部ｂ内へ自然に折り畳まれて収納される。次いで更に遮蔽部材４を引き上げると、図４に示す如く、被遮蔽部ａが開口する。閉鎖の際には、例えば、ドラム３が開口時に対して逆回転することによって遮蔽部材４が繰り出され、遮蔽部材４の重み或いは付設されていれば錘８を加えた重みで下降する。
【００２３】
図５は他の実施例を示し、図１の実施例に於いて、遮蔽部材４を横断する屈曲部９を所定間隔をあけて多数設け、一方、ドラム３は横多角柱状に形成し、側面から見た一辺が各屈曲部９間距離に相当する如く構成している。そして、上記各屈曲部９で屈曲したジグザグの折り畳み状態で収納部ｂ内へ収納している。上記屈曲部９はその部分から容易に屈曲する如く構成した形態のものであれば良く、例えば、蝶番構造であっても良く、或いはその部分を凹溝に形成したりその部分を薄肉に形成したり或いはそれらの複合形態を採用することができる。
【００２４】
図６は更に他の実施例を示し、図５の実施例に於いて、各屈曲部９両側にそれぞれ飛び飛びに多数対の突起10を突設し、また、ドラム３奥方へ一対のレール11を延設している。各レール11は、ドラム３両側上端位置からそれそれ奥方へ延設している。そして、ドラム３の回転によって遮蔽部材が上方に引っ張られ、各突起10が各レール11上に載置されつつ各屈曲部９でジグザグに折り畳まれて収納され、被遮蔽部ａが開口する。閉鎖の際には、ドラムが開口時に対して逆回転することによって遮蔽部材４が繰り出され、遮蔽部材４の重み或いは付設されていれば錘８を加えた重みで下降する。
【００２５】
図８は更に他の実施例を示し、図６の実施例に於いて、ドラム３を横円柱状に形成し、遮蔽部材４をより変形し易い材質で形成した例を示す。
【００２６】
図９は更に他の実施例を示すもので、本実施例では、上記図１の実施例に於いて、収納ケース２は上記収納部ｂを必要としない。また、遮蔽部材４はドラム３に摺動上昇させるものではないため、その上端連結部位は収納ケース２前面下端部に連結することができる。但し、これに限らず、上端縁を収納ケース内面に連結することも可能である。また、本実施例では、遮蔽部材４に一端を固定するとともに、他端をドラム３に連結した牽引部材12を設けている。
【００２７】
本実施例に於いて牽引部材12は、シート状をなしているがこれに限らず，図12に示す如き帯状のものであっても、或いは図13に示す如き紐状のものであっても、或いは図示しないが、これらの複合のものであっても良い。これらの牽引部材12の遮蔽部材４への固定位置は、収納ケース２の大きさや遮蔽部材４の大きさ等の要件を考慮して適宜選択できるが、遮蔽部材４の上端より１／２、もしくはそれより下方に牽引開始部材を設けることが好ましい。
【００２８】
この場合の遮蔽部材４及び牽引部材12は、上記図１の発明と同様にその成形材料を選択でき、例えば、全て金属製、全て合成樹脂製、遮蔽部材４が金属製で牽引部材12が合成樹脂製、牽引部材12と遮蔽部材４の下半分が金属製で遮蔽部材の上半分が合成樹脂製、遮蔽部材４が金属製で牽引部材が金属製ワイヤーなど用途に応じてさまざまな組み合わせが可能である。
【００２９】
そして、牽引部材12及び遮蔽部材４を順次ドラム３に巻き取って収納ケース２内に収納する如く構成している。例えば、図９の状態からドラム３を回転させると、図10に示す如く、最初牽引部材12がドラム３に巻き取られ、それと連動して遮蔽部材４も固定位置から上方へ吊り上げられていく。次いで、ドラム３の回転は継続され、図11に示す如く、牽引部材12に次いで遮蔽部材４が巻き取られていくことにより被遮蔽部ａが開口する。また、閉塞の際には、ドラムが開口時に対して逆回転することによって遮蔽部材４が繰り出され、遮蔽部材４の重み或いは付設されていれば錘８を加えた重みで下降する。
【００３０】
図14乃は更に他の実施例を示すもので、本実施例では、図９の実施例に於いて、上記各支持フレーム５にそれぞれ案内溝13を縦設している。また、遮蔽部材４は、横断する屈曲部９を所定間隔をあけて多数設け、且つ、各屈曲部９両側に飛び飛びに多数対突設した突起10を上記各案内溝13に上下動可能に嵌合させて被遮蔽部ａを遮蔽している。この場合の屈曲部９の形態も、上記図５の実施例で説明したものと同様形態のものを採用できる。
【００３１】
更に、本実施例に於ける牽引部材12は、遮蔽部材４下端部に一端を固定するとともに、他端をドラム３に連結して構成している。この場合の遮蔽部材４及び牽引部材12も上記と同様の材料及び形態が採用できる。
【００３２】
そして、上記牽引部材12を上記ドラム３に巻き取るに伴い各屈曲部９で屈曲して遮蔽部材４を折り畳み上昇させる如く構成している。即ち、図14の状態からドラム３の回転によって牽引部材12が上方に引っ張られ、それに連動して図16に示す如く遮蔽部材４下端が上昇する。この際遮蔽部材４の各突起10は案内溝13に嵌合されているため鉛直方向にのみ移動していき、屈曲部９は下方からの力により外側に屈曲する。更にドラム３の回転は継続され、図17に示す如く、遮蔽部材４が折り畳まれていくことにより被遮蔽部ａが開口する。尚、図示例の遮蔽部材４の屈曲方向は建物外側であるが、この屈曲方向は支持フレームの形状，屈曲部の曲がりの方向性等により左右されるため、建物内向きに屈曲するものも同様に作成可能である。
【００３３】
【発明の効果】
以上説明した如く、本発明のシャッターは、被遮蔽部ａ上に横設した収納ケース２と、該ケース内に設置した引き上げ及び繰り出し用のドラム３と、該ドラム３奥の上記収納ケース２内面に上端縁を連結するとともに、上記ドラム３外周面に沿って下方へ垂下して上記被遮蔽部ａを遮蔽した面状の遮蔽部材４とを備え、上記ドラム３を回転して上記ドラム３と上記遮蔽部材４との接触部分に於ける摩擦力により上記遮蔽部材４を引き上げるとともに、引き上げられた上記遮蔽部材４を上記ドラム３奥の収納部ｂへ収納する如く構成したので、シャッター上部からの鼠，昆虫の侵入経路を完全に絶つことにより、建物内部でのそれらによる種々の被害を劇的に軽減させることができる。また、様々な材質を遮蔽部材に適用できるので、防犯、高速開閉等、多様な基本的性能と、防虫・防鼠効果を合わせ持つ製品を完成することができる。
【００３４】
また、上記遮蔽部材４が、横断する屈曲部９を所定間隔をあけて多数設けた遮蔽部材であり、上記収納部ｂ内への収納が、上記各屈曲部９で屈曲したジグザグの折り畳み状態での収納であるものにあっては、遮蔽部材４の収納部ｂ内への収納が整然と行えてその出し入れをより円滑に行える利点を兼ね備える。
【００３５】
また、上記ドラム３が横多角柱状をなすとともに、側面から見た一辺が上記屈曲部９間距離に相当するドラムであるものにあっては、遮蔽部材４の引き上げ、繰り出しをより確実に且つ滑ることなく行えて更に円滑な遮蔽部材の出し入れを行えるものである。
【００３６】
また、横断する屈曲部９を所定間隔をあけて多数設けるとともに、屈曲部９両側にそれぞれ飛び飛びに多数対の突起10を突設した遮蔽部材４を備え、ドラム３奥方へ延設した一対のレール11上に上記各突起10を載置するとともに、各屈曲部９で屈曲したジグザグ折り畳み状態で上記収納部ｂに収納する如く構成してなるものにあっては、同様に収納部ｂ内への収納が整然と行えてその出し入れをより円滑に行える利点を兼ね備える。
【００３７】
また、遮蔽部材４に一端を固定するとともに、他端をドラム３に連結した牽引部材12を備え、牽引部材12及び遮蔽部材４を順次ドラム３に巻き取って収納ケース２内に収納する如く構成したものにあっては、遮蔽部材４の引き上げがドラムとの摩擦力ではなく直接ドラムの引き上げにより行えるため、より確実な遮蔽部材の引き上げを行え、また、遮蔽部材４を収納ケースの前面から垂設することができるため、遮蔽部材両側の密閉性をより図り易い等の利点を兼ね備えている。
【００３８】
また、遮蔽部材４を横断する屈曲部９を所定間隔をあけて多数設け、各屈曲部９の両側に飛び飛びに多数対の突起10を突設し、また、各突起を支持フレーム５の各案内溝13に上下動可能に嵌合させ、更に、遮蔽部材４下端部に一端を固定するとともに、他端をドラム３に連結した牽引部材12を設け、この牽引部材12をドラム３に巻き取るに伴い各屈曲部９で屈曲して遮蔽部材４を折り畳み上昇させる如く構成したものにあっては、同様に遮蔽部材４の引き上げがドラムとの摩擦力ではなく直接ドラムの引き上げにより行えるため、より確実な遮蔽部材の引き上げを行え、また、遮蔽部材４を収納ケースの前面から垂設することができるため、遮蔽部材両側の密閉性をより図り易い等の利点を兼ね備えている。
【図面の簡単な説明】
【図１】本発明の一実施例を示す説明図である。
【図２】同実施例の正面図である。
【図３】同実施例の開口しつつある状態の説明図である。
【図４】同実施例の開口状態の説明図である。
【図５】本発明の他の実施例を示す開口状態の説明図である。
【図６】本発明の更に他の実施例を示す開口状態の説明図である。
【図７】同実施例に於ける遮蔽部材の要部斜視図である。
【図８】本発明の更に他の実施例を示す開口状態の説明図である。
【図９】本発明の更に他の実施例を示す説明図である。
【図１０】同実施例の開口しつつある状態の説明図である。
【図１１】同実施例の開口状態の説明図である。
【図１２】本発明の更に他の実施例を示す説明図である。
【図１３】本発明の更に他の実施例を示す説明図である。
【図１４】本発明の更に他の実施例を示す説明図である。
【図１５】同実施例の正面図である。
【図１６】同実施例の開口しつつある状態の説明図である。
【図１７】同実施例の開口状態の説明図である。
【図１８】従来のシャッターを示す説明図である。
【符号の説明】
１…シャッター，２…収納ケース，３…ドラム，４…遮蔽部材，
５…支持フレーム，６…窓孔，７…仕切り板，８…錘，９…屈曲部，
10…突起，11…レール，12…牽引部材，13…案内溝，ａ…被遮蔽部，
ｂ…収納部
【図１】
0003650094.tif 000002
【図２】
0003650094.tif 000003
【図３】
0003650094.tif 000004
【図４】
0003650094.tif 000005
【図５】
0003650094.tif 000006
【図６】
0003650094.tif 000007
【図７】
0003650094.tif 000008
【図８】
0003650094.tif 000009
【図９】
0003650094.tif 000010
【図１０】
0003650094.tif 000011
【図１１】
0003650094.tif 000012
【図１２】
0003650094.tif 000013
【図１３】
0003650094.tif 000014
【図１４】
0003650094.tif 000015
【図１５】
0003650094.tif 000016
【図１６】
0003650094.tif 000017
【図１７】
0003650094.tif 000018
【図１８】
0003650094.tif 000019